(57)【要約】  入力デバイス充電システムが提供される。この入力デバイス充電システムは１次位置合わせ機構および充電接続部を有するベースを含む。この位置合わせ機構および充電接続部は、ベースの表面から突出しており、この充電接続は、入力デバイスとの電気接続を形成するための部品を含む。この入力デバイス充電システムはまた、ベース上での水平配置のために構成されたマウスなどの入力デバイスも含む。この入力デバイスは、ベースの１次位置合わせ機構および充電接続部に対応するように構成された、１次位置合わせ機構および充電接続部を含む。この入力デバイスは、水平面にある任意の方向でベース上に配置され、両方の位置合わせ機構が接続される充電位置に回転させることができる。
2009539344.tif 000002
【特許請求の範囲】
【請求項１】
入力デバイス（２００）を受け入れるように構成され、上面（１０４）から上向きに伸びる第１の位置合わせ機構（１０８）を有するベース（１０２）と、
前記ベース（１０２）に水平に結合されるように構成され、前記ベース（１０２）上の前記第１の位置合わせ機構（１０８）の形状に対応し、前記第１の位置合わせ機構（１０８）とかみ合うように構成された第２の位置合わせ機構（２０８）を含む入力デバイス（２００）と、
前記ベース（１０２）の前記上面（１０４）から上向きに伸びる第１の充電要素（１１０）と、前記入力デバイス（２００）の底面（２０６）上に形成された対応する第２の充電要素（２１０）とをさらに含む充電接続部と
を備えたことを特徴とする入力デバイス充電システム。
【請求項２】
前記入力デバイス（２００）は、マウスであることを特徴とする請求項１に記載の入力デバイス充電システム。
【請求項３】
前記第１の位置合わせ機構（１０８）はオス型位置合わせ機構であり、前記第２の位置合わせ機構（２０８）は前記入力デバイス（２００）の底面（２０６）に形成された凹所であることを特徴とする請求項２に記載の入力デバイス充電システム。
【請求項４】
前記第１の位置合わせ機構（１０８）および前記第２の位置合わせ機構２０８の各々は、磁石を含むことを特徴とする請求項１に記載の入力デバイス充電システム。
【請求項５】
前記ベース（１０２）は概ね平らであり、前記入力デバイス（２００）が前記第１の位置合わせ機構（１０８）の周りを回転するのを妨げる構造がないことを特徴とする請求項１に記載の入力デバイス充電システム。
【請求項６】
前記第１の位置合わせ機構（１０８）および第２の位置合わせ機構（２０８）は、概ね半球状であることを特徴とする請求項５に記載の入力デバイス充電システム。
【請求項７】
前記ベース（１０２）の底面（１０６）に接続された複数の滑り止めパッド（１１６）をさらに備えたことを特徴とする請求項１に記載の入力充電システム。
【請求項８】
支持面に置かれるように構成された入力デバイスであって、
概ね平らな底面（２０６）上に形成された、輪郭に合致した上部と、かみ合わせ構成要素を受け入れるように構成された凹所（２０８）とを有する筐体と、
複数のアクチュエータと、
前記入力デバイスの相対運動を決定する運動検出システム（２０９）と、
前記概ね平らな底面（２０６）に形成され、かみ合わせ充電要素（１１０）を受け入れるように構成された充電要素（２１０）と
を備えたことを特徴とする入力デバイス。
【請求項９】
前記凹所（２０８）の中に受け入れられる前記かみ合わせ構成要素（１１０）は、ベース（１０２）の上面（１０４）上に形成された突起（１０８）であることを特徴とする請求項８に記載の入力デバイス。
【請求項１０】
前記凹所（２０８）および前記突起（１０８）は、水平面での回転が可能となるように構成されていることを特徴とする請求項９に記載の入力デバイス。
【請求項１１】
前記かみ合わせ構成要素（１１０）および前記凹所（２０８）は、概ね半球状であることを特徴とする請求項１０に記載の入力デバイス。
【請求項１２】
前記運動検出システム（２０９）は、光トラッキングシステムであることを特徴とする請求項８に記載の入力デバイス。
【請求項１３】
電源として機能するように構成されたバッテリ（２０７）をさらに備えたことを特徴とする請求項８に記載の入力デバイス。
【請求項１４】
前記バッテリ（２０７）は、再充電可能型バッテリであることを特徴とする請求項１３に記載の入力デバイス。
【請求項１５】
前記充電要素は、電気的接続を形成する部品を含むことを特徴とする請求項８に記載の入力デバイス。
【請求項１６】
水平位置で入力デバイス（２００）を受け入れるように構成され、第１の位置合わせ機構（１０８）と、充電接続部を形成する部品を含む第２の位置合わせ機構（１１０）とを含むベース（１０２）と、
前記ベース（１０２）上での水平配置のために構成され、前記第１の位置合わせ機構（１０８）に結合するように構成された第３の位置合わせ機構（２０８）と、前記ベース（１０２）との充電接続部を形成する部品を含む、前記第２の位置合わせ機構（１１０）に結合するように構成された第４の位置合わせ機構（２１０）とを含む入力デバイス（２００）と
を備えたことを特徴とする入力デバイス充電システム。
【請求項１７】
前記入力デバイス（２００）はマウスであることを特徴とする請求項１６に記載の入力デバイス充電システム。
【請求項１８】
前記第１の位置合わせ機構（１０８）および第２の位置合わせ機構（１１０）は突起であり、前記第３の位置合わせ機構（２０８）および前記第４の位置合わせ機構（２１０）が凹所であることを特徴とする請求項１６に記載の入力デバイス充電システム。
【請求項１９】
前記ベース（１０２）は、前記入力デバイス（２００）が回転することを妨げる構造がないことを特徴とする請求項１６に記載の入力デバイス充電システム。
【請求項２０】
前記第１の位置合わせ機構（１０８）および第３の位置合わせ機構（２０８）は、概ね半球状であることを特徴とする請求項１９に記載の入力充電デバイス。
【発明の詳細な説明】
【技術分野】
【０００１】
本発明は、コンピューティングの入力デバイスに関し、より詳細には、入力デバイスの充電システムに関する。
【背景技術】
【０００２】
コンピューティングの領域で、移動性および制限のない動きに対する要求が高まっている。これに応えて、ＢＬＵＥＴＯＯＴＨ、様々なＩＥＥＥ８０２．１１規格、様々な独自プロトコルおよびＨｏｍｅＲＦを含めた様々なワイヤレス技術が発展してきた。このようなプロトコルは、周辺装置がコードで接続されたデバイスによって与えられる多くの障害を緩和するワイヤレス能力を実現するのを可能にした。無線入力デバイスは、しばしばナビゲーションおよびユーザインタフェースとの相互作用を制御するために使用される。
【０００３】
ワイヤレス入力デバイスの使用は、コンピューティングの多くの局面で著しく増えている。ワイヤレスデバイスが電源としてバッテリに依存していることから、システムは、そのようなワイヤレスデバイスに再充電する便利な方法を備えるように開発されなければならない。
【０００４】
再充電システムはしばしば、入力デバイスが充電のために配置される再充電ドックを含む。このドックは、入力デバイスのバッテリを再充電するための電気接続部を含む。
【発明の開示】
【発明が解決しようとする課題】
【０００５】
しかしながら、多くの入力デバイスのドックは、１つの方向または位置からしか入力デバイスをドックに挿入することができない。例えば、マウスが垂直にドックに挿入される充電ドックが存在する。これらのシステムは、マウスをドックに配置する前に、使用中の水平位置から垂直の充電位置に動かすために、ユーザ側にさらなる労力を求める。さらに、マウスの筐体が１つの特定のかみ合わせ方向でドックにフィットするように、マウスが水平に挿入されなければならない充電ドックが存在する。充電が始まるためには、マウスは正確に適切な位置および方向で、ドックに挿入されなければならない。マウスは一旦ドックと接触して配置されると、調整または位置合わせされることができない。そのようなシステムはしばしば配置するのが面倒であり、難しく、また充電が始まるための正確なフィットまたは方向を必要とする。
【課題を解決するための手段】
【０００６】
入力デバイス充電システムは、水平位置で入力デバイスを受け入れるように構成された、概ね平らなベースを含んでも良い。この概ね平らなベースは、ベースの上面から隆起または突出した１次位置合わせ機構および充電接続部を含んでも良い。この１次位置合わせ機構は、入力デバイスのために最初の位置合わせを提供することができ、入力デバイスが１次位置合わせ機構の周りを回転することができるように構成することもできる。充電接続部は、入力デバイスとの電気的な充電接続を形成する部品を含む。
【０００７】
この入力デバイス充電システムはまた、概ね平らなベース上の水平配置のために構成された入力デバイスも含む。この入力デバイスは一般にはマウスであるが、その他の充電を必要とするデバイスがこの充電システムとともに使用されても良い。この入力デバイスは、ベースの１次位置合わせ機構および充電接続部に対応するように構成された１次位置合わせ機構および充電接続部を含むことができる。この入力デバイスの充電機能は、ベースとの電気接続を形成するための部品を含む。
【０００８】
この入力デバイスは、概ね水平位置でベースに配置されるために構成されても良い。この入力デバイスは、ベースの１次位置合わせ機構と接触した１次位置合わせ機構を使用して、ベースと最初に接触することができる。この入力デバイスは、水平面の任意の方向でベース上に配置されても良い。次いでこの入力デバイスは、１次位置合わせ機構と充電接続部との両方がベース上に形成された対応する機能と接触している充電位置に回転される。
【０００９】
この要約は、簡略化された形式で、詳細な説明の中で以下でさらに説明される概念を選択したものを導入するために示されたものである。この要約は、特許請求される対象の主要な機能または不可欠な機能を特定することが意図されていない。また、特許請求される対象の範囲を限定するために使用されることが意図されているわけでもない。
【００１０】
本発明の各態様は例示的に示されており、同じ参照番号が同じ要素を示している添付の図面の中で限定されるわけではない。
【発明を実施するための最良の形態】
【００１１】
図１には、入力デバイス充電ドック１００のための１つの配置が示されている。図１は、充電モードの入力デバイス２００に接続される場合に見え得る充電ドック１００を示す。充電ドック１００はベース１０２を含み、ケーブル１０１を介して電源に接続されている。ケーブル１０１は、電気コンセントに接続されるなどの電気プラグで終端することができる。ケーブル１０１はＵＳＢ、ＰＳ／２またはＦｉｒｅｗｉｒｅ接続で終端し、互換ポートを経由してコンピュータに接続することもできる。理解を容易にするために、以下では入力デバイスをマウス２００として説明しているが、キーボード、装着型デバイス、ジャイロスコープ型ポインティングデバイス、遠隔ポインティングデバイスおよび遠隔制御装置など、その他の種類の再充電可能な入力デバイスをこのシステムとともに使用することができる。入力デバイス２００は、再充電システムに安定にして使い易くするために、実質的に水平位置で充電されることができる。
【００１２】
図２および図３は、入力デバイス充電ドック１００を示す。１つの例示的な実施形態で、ドック１００は水平位置で入力デバイスを受け入れるように構成された概ね平らなベース１０２を含む。この構成によって、充電ドック１００への入力デバイスの配置を簡単にすることができる。例えば、この水平な配置を用いれば、デバイスに再充電するために、入力デバイスをさらに垂直に再配置する必要がなくなる。マウスを、その水平な使用中の位置にある充電ドック１００上に単に配置することによって、マウスは使用中から再充電中へ直接移行することができる。
【００１３】
図２および図３に示されている構成の中で、ベース１０２は概ね楕円形の形状であるが、例えば長方形、正方形などの任意の適切な形状をベース１０２のために使用することができる。ベース１０２は、デバイス２００が水平に取り付けられることできる任意のサイズであって良い。
【００１４】
ベース１０２は、上面１０４および底面１０６を含む。１つの例示的な実施形態では、ベース１０２の上面１０４は概ね平らであり、少なくとも１つの位置合わせ機構を含む。１つの例示的な配置では、上面１０４は概ね平らであり、２つの上向きの突出部を含む。１次位置合わせ機構１０８は、上面１０４から突出した突起を備えたオス型の位置合わせ機構とすることができる。ベース１０２の上面１０４上に形成されたオス型の１次位置合わせ機構１０８は、以下に説明され示されるように、マウスの底面に配置された凹所を有する対応するメス型の１次位置合わせ機構とかみ合うように構成されている。さらに１次位置合わせ機構１０８は、充電の間に入力デバイスの位置を維持するのを助けることができる。１つの実施形態では、オス型の機構がデバイス上に形成されているとき、ベース１０２上にメス型位置合わせ機構を配置することもできる。
【００１５】
オス型１次位置合わせ機構１０８を、ベース１０２の上面１０４上の任意の位置または場所に配置することができる。代替の実施形態では、位置合わせ機構はベース１０２の側面に配置されても良い。図３に示されている１つの例示的な配置構成では、オス型１次位置合わせ機構１０８は、入力デバイスを簡単に挿入することができるように、ベース１０２の中央部に配置されている。別の実施例では、オス型１次位置合わせ機構１０８は、ベース１０２の先端部１１４の近くに配置されても良い。さらに、１次位置合わせ機構１０８は、ベース１０２上の頂部または最高点であっても良い。これは、ベース１０２へマウス２００を最初に配置する際に役立つ。
【００１６】
オス型１次位置合わせ機構１０８は、マウスまたは入力デバイスの対応するメス型部分とかみ合うための任意の適切な形態とすることができる。１つの例示的な構成では、１次位置合わせ機構１０８（および図６の２０８）は、原点または軸について対称の形態であってよく、その軸の周りで回転可能である。例えば、この１次位置合わせ機構は、半球、円錐、円錐台、円柱などであってもよい。図４Ａに示されている１つの特定の例では、オス型１次位置合わせ機構１０８は、ベース１０２の上面１０４から突出した半球状の突起とすることができる。対応するメス型１次位置合わせ機構は、マウス２００の底面にある半球状のくぼみ（図６の２０８）とすることができる。図４Ｂは、１次位置合わせ機構１０８が円錐である代替例を示す。オス型１次位置合わせ機構１０８は、上面１０４から突出した円錐形の突起を含み、一方でメス型１次位置合わせ機構２０８はマウス２００に配置された凹所である。図４Ｃに示されているさらに別の例では、１次位置合わせ機構は円錐台である。オス型１次位置合わせ機構１０８はベース１０２の上面１０４からの概ね円錐状の突起を含む。円錐の頂点部分は、位置合わせおよび安定性を補助するために切り取られている。位置合わせ機構２０８のかみ合わせ部分は、マウス２００の底面にある対応する円錐台の凹所である。
【００１７】
別の例示的な構成では、この１次位置合わせ機構は軸の周りで回転可能でなくても良い。例えば、この１次位置合わせ機構は、正方形、長方形、またはマウスに安定性および位置合わせを与えるその他の適切な形状とすることもできる。
【００１８】
充電のためにマウス２００が充電ドック１００のベース１０２に接続されている場合、メス型１次位置合わせ機構がオス型１次位置合わせ機構１０８の上に配置され、それと接触するように配置させることができる。これらの１次位置合わせ機構を、最初の位置合わせメカニズムとして使用することができる。例えば、マウス２００を１次位置合わせ機構のだいたい近くでベース１０２の上方に配置することができる。位置合わせ機構１０８の突起とマウス２００との間の接点を、ユーザは簡単に気が付くことができる。一旦最初の接点が作られると、メス型１次位置合わせ機構がオス型位置合わせ機構１０８の上方に位置して、マウスがオス型位置合わせ機構１０８の上に落ちるまで、ユーザはベース１０２上のマウス２００の位置を調整することができる。このマウス２００の最初の位置合わせでは、重力がその助けとなる。一旦最初の位置合わせが実行されると、以下述べられるように、電気充電接続部との接点が作られるまで、ユーザは位置合わせ機構１０８の周りでマウス２００を回転させることができる。一旦その接点が作られると、マウスの充電接続部がベースの充電接続部と適切に位置合わせされるまで、ユーザはマウス２００の位置での微調整を行うことができる。マウスがベース上の接続部に落ちると、この接続が知られることになる。
【００１９】
図５に示されている別の位置合わせでは、入力デバイスは最初に位置合わせされ、磁石１１１、２１１を介して位置を保持されても良い。例えば、磁石１１１がベースに埋め込まれ、対応する磁石２１１が入力デバイスに埋め込まれても良い。２つの磁石１１１と磁石２１１との間の引力は、充電ドック１００上で入力デバイス２００を位置合わせし、充電の間の入力デバイス２００の位置を保持するのを助けることができる。この構成の磁石１１１、２１１は、マウス２００の位置合わせに役立ち、充電ドック１００上でマウス２００の位置を保持するために十分な引力を与えることができる。しかしながら、ユーザが充電ドック１００からマウス２００を取り外すために適切な量の力を加えることによって、この引力を断つことができる。
【００２０】
さらに図２および３に関して、ベース１０２はまた、マウス２００の充電を可能にする電気充電接続部１１０を含む。充電接続部１１０はベース１０２の後部１１２の近くに配置され、ベース１０２の上面１０４から突出した突起を含んでも良い。別の配置では、充電接続部はベース１０２の先端１１４の近くに配置されても良い。充電接続部１１０は一般に、入力デバイスが充電ドック１００に結合されている場合に、入力デバイスへ充電することができる電気部品を含む。１つの例示的な実施形態では、充電接続部１１０は、入力デバイスが充電ドック１００に結合されていない場合に、隆起した位置にある２つのピンを含む。電気的な接続を形成するために、このピンは、入力デバイス２００の対応する充電接続部（図８の２１０）の内部にある２つの凹所にフィットする。入力デバイスが充電ドック１００に結合されると、ピンは圧縮され、電気的な接続が形成される。電気的な接続を形成するためのその他のシステムは当技術分野で一般に知られており、入力デバイス充電システムとともに使用することができる。
【００２１】
ベース１０２上に形成された充電接続部１１０はまた、充電ドック１００上での入力デバイスの位置合わせを補助することができる。例えば、マウスなどの入力デバイスは、オス型１次位置合わせ機構１０８の上方に配置されそして引き下げられて、オス型１次位置合わせ機構１０８との接点を作ることができる。次いで、マウスを充電接続部１１０を使用してさらに位置合わせをすることができる。例えば、マウス上の充電接続部２１０が充電ドック１００上の充電接続部１１０に一致する充電位置まで、マウスを１次位置合わせ機構１０８、２０８の周りで回転させることによって、マウスは充電を開始するのに適切に位置合わせされる。充電接続部１１０の各側面上のランプ（図６の１０７）は、入力デバイスがもう少しで位置合わせされることをユーザに示し、入力デバイス２００を位置へ導く。マウスがベース１０２の充電接続１１０に結合されて電気回路が完成したときに、充電を始めることができる。
【００２２】
代替の構成では、入力デバイスへの充電は誘導によるものであってもよい。この構成では、物理的な電気接続は必要ではない。したがって、オス型１次位置合わせ機構１０８は、ベース１０２の上面１０４から突出しても良い。しかしながら、電気接続部１１０は必要でなくても良い。充電ドック１００は１次位置合わせ機構１０８だけを含んで良いし、または電気接続を含まない２次位置合わせ機構１１０を含んでもよい。
【００２３】
充電のために入力デバイスを充電ドック１００に接続する場合、マウス２００を、水平面全体の中の任意の方向で最初に位置合わせすることもできる。例えばマウス２００は、１次位置合わせ機構１０８、２０８と充電接続部１１０、２１０とが両方とも接触するように、充電位置の中でベース１０２との最初の接点を作っても良い。代替の構成では、１次位置合わせ機構１０８、２０８は接触しているが、マウス２００が実質的にベース１０２に対して直角の位置、すなわち充電位置から９０度の位置で、マウス２００は充電ドック１００と最初の接点を作ることができる。さらに別の構成では、１次位置合わせ機構１０８、２０８は接触しているが、マウスが充電位置から１８０度の位置で、マウス２００はベース１０２との最初の接点を作ることもできる。マウス２００は、１次位置合わせ機構１０８、２０８と最初に位置合わせされても良い。最初の位置合わせの後、ベース１０２上の電気接続部１１０の上方にある位置に、マウス２００を水平に回転させることができる。一旦充電接続部１１０との位置合わせが行われると、マウス２００を充電接続部１１０との接点まで引き下げて、マウス２００への充電を開始することができる。さらに別の構成では、１次位置合わせ機構１０８、２０８は接触しているが、マウス２００が充電位置から数度のところにある位置で、マウス２００はベース１０２との最初の接点を作ることもできる。マウス２００が最初に位置合わせされた後、ベース１０２上の電気接続部１１０の上方にある位置に、マウス２００を適切な量を水平に回転させることができる。
【００２４】
図６は充電ドック１００の背面図であり、図７は充電ドック１００の底面図である。図６は、ベース１０２の１つの実施形態の概ね平らな上面１０４および底面１０６を示している。オス型１次位置合わせ機構１０８は、ベース１０２の上面１０４から突出しても良い。図６および図７はまた、ベース１０２の底面１０６の上に配置されゴムまたは高い摩擦係数を有する任意の適切な素材から形成された複数の滑り止め台１１６も示されている。滑り止め台１１６は、ベース１０２の底面１０６の外周に配置されている。滑り止め台１１６は、充電ドック１００を安定させるのを補助することができる。例えば、もしも充電ドック１００は充電の間に振動を受ければ、滑り止め台１１６は充電ドック１００の位置を保持し、および充電される入力デバイスが充電ドック１００から外されてしまうの避けるのに役立つ。
【００２５】
図８は、入力デバイス充電システムとともに使用することのできるマウス２００の底面図である。図８に示されているマウス２００はフルサイズの対称形のマウスであるが、任意の設置面積または形状のマウスを、入力デバイスドッキングシステムとともに使用することができる。例えばトラベルサイズマウス、左利き用マウス、右利き用マウス、２ボタンマウス、４ボタンマウス、ロックボタンもしくはスクロールホイールを備えたマウス、または任意のその他の種類のマウス設計を、この入力デバイス充電システムとともに使用することができる。この入力デバイス充電システムは、１つの特定のマウスのモデルまたは形状とともに使用することに限定されるわけではない。さらに、この入力デバイス充電システムは、販売されているマウスとともに使用されることに限定されるわけではない。適切な位置合わせおよび充電接続部を備えたマウスは、ドックまたはアフターマーケット型製品と同時に、充電ドックとは別に購入されても良い。
【００２６】
本明細書で使用される際、「マウス」という用語は一般に、限定されるわけではないが、マウスとマウスが置かれる面との間の相対運動を判定する光トラッキングシステム２０９などのトラッキングシステムを有するコンピュータ入力マウス構造のことを指すために使用される。マウスは運動センサによって生成された信号を送信し、コンピュータシステムの地理的ポインタまたはディスプレイを制御するために使用され得る。使用中、マウス２００はコンピュータに接続され、コンピュータに信号を与え、モニタ上のカーソルまたはその他のオブジェクトを制御することができる。この接続は、当技術分野で知られているような、ワイヤレストランスミッタおよびレシーバを使用するワイヤレス接続であって良い。このマウスはまた、バッテリなどの電源２０７も含む。１つの構成では、このバッテリは再充電可能型バッテリである。
【００２７】
マウスデバイス２００は好ましくは、平らな支持面上に置かれるように構成されるために、実質的に平らな底面２０６を有する筐体を含む。この筐体はさらに、人間の手と調和するように、好ましくは人間の手を支持するように形成された上体、および複数のアクチュエータを含む。このマウスはまた、支持面とマウスとの間の相対運動を決定する光トラッキングシステム２０９も含む。１つの解説用の例で、光トラッキングシステム２０９は、筐体の底を通して支持面に向けられる光源、および支持面とマウスとの間の相対運動を決定する筐体の内部にある光センサを含む。本明細書で説明されているこのトラッキングデバイスおよび方法は、よく知られたものである。
【００２８】
さらに図８に関して、メス型位置合わせ機構２０８を見出すことができる。メス型１次位置合わせ機構２０８は、マウス２００の底面２０６に形成された凹所である。１つの実施例では、メス型位置合わせ機構２０８は、ベース１０２に配置された位置合わせ機構１０８の半球状のオス型部分と対応するために半球状であっても良い。メス型１次位置合わせ機構２０８は、ベース１０２の中央に配置されるオス型１次位置合わせ機構１０８に対応するために、マウス２００の中央に配置されても良い。オス型１次位置合わせ機構１０８は、ベース１０２の上面２０４の異なる位置に形成されても良い。メス型１次位置合わせ機構２０８は、オス型１次位置合わせ機構１０８に対応する位置に形成されても良い。
【００２９】
さらに、電気接続部２１０のかみ合わせ部分を、マウス２００の底面２０６の上に見ることができる。電気接続部２１０は、ベース１０２の後部１１２に形成された電気接続部１１０に対応するために、マウス２００の後部２１２に形成されてもよい。
【００３０】
図９は、入力デバイスの充電ドック１００とともに使用され得るマウス２００の背面図である。この背面図は、概ね平らなマウス２００の底２０６の表面を示している。この概ね平らな表面は、障害物または突起がマウス２００のスムースな動作を妨げないことを確実にする。マウス２００の充電のために必要とされる任意の接続は、マウス２００の底面２０６から突出するのではなく、マウス２００の内部にある。この構成によって、マウス２００を動作中、作業面に沿ってスムースにスライドさせることができる。
【００３１】
図１０は、充電を開始するために入力デバイス２００を充電ドック１００に挿入する１つの取り得る方法を示す。例えば、入力デバイス２００の充電を開始するために、マウス２００などのデバイスは、メス型１次位置合わせ機構がオス型１次位置合わせ機構と位置を合わせられ、それと接触するように、オス型１次位置合わせ機構の上に水平に配置される。この配置構成は、入力デバイス２００に最初の位置合わせを提供する。この１次位置合わせ機構は、水平面の任意の方向で向かい合うマウス２００と接触しても良い。次いでマウス２００は、充電位置まで、位置合わせ機構の周りを回転される。図１０の矢印は、マウス２００を回転させられる方向を示している。充電接続部がお互いに位置合わせされ接触すると、充電位置が得られる。一旦マウス２００が１次位置合わせ機構および充電接続部と適切に位置合わせされると、マウス２００はドックの上まで水平に引き下げられて、電気的な接続を完了し充電を開始することができる。
【００３２】
この水平の充電構成は、充電システムに安定性を加えることができる。例えば、もしも入力デバイスが充電される間に充電ドックは振動を受けても、この水平な構成は、入力デバイスが垂直位置で充電される充電システムよりも、入力デバイスの充電位置をより維持することができると思われる。
【００３３】
図１１は、入力充電デバイスの別の配置構成を示す。図１１の構成では、ベース３０２は１次位置合わせ機構３０８を含む。さらに、ベース３０２は２つの充電接続部３１０ａ、３１０ｂを含む。充電接続部３１０ａ、３１０ｂは、ベース３０２の向かい合った端部に配置される。充電の間、入力デバイスは１次位置合わせ機構３０８、および２つの充電接続部３１０ａ、３１０ｂのうちの１つと接触している。この構成により、右利きまたは左利きの両方のユーザのために、入力デバイスの配置を簡単にすることができる。例えば、左利き用マウスのユーザは、１つの方向にマウスを配置することを選択し、一方で右利き用マウスのユーザは、反対の方向にマウスを配置することを選択することができる。この二重の充電接続部は、両方の種類のユーザに対応する１つのシステムを提供する。
【００３４】
別の配置構成では、入力デバイスは水平位置で充電され、入力デバイスに沿ったある点で、所定の位置に保持されてもよい。例えば充電ドックは、ドックの一方の端から出た突起を含んでもよい。充電される入力デバイスは、突起がフィットすることができるデバイスの底面にある対応したくぼみを含んでも良い。この単一の接続点は、充電される入力デバイスのための両方の位置合わせを提供しても良いし、充電のために必要な任意の電気接続部を含んでも良い。この配置構成はまた、その水平位置によって安定性を与え、利用されるマウスまたは入力デバイスが任意の形状または設置面積であることを可能とする。
【００３５】
さらに別の配置構成では、入力デバイスは水平位置で充電され、ドック上のくぼんだ位置で充電することによって、充電ドック上で所定の位置に保持されることもできる。入力デバイスは、充電のためにドック上のくぼみ領域に配置されても良い。デバイスへの充電は誘導によるものか、またはくぼみ領域内の表面から突出し、入力デバイス上のかみ合わせ接続部に接続してもよい電気接続を介したものであっても良い。この配置構成は入力デバイスを位置に維持することを助ける水平位置およびくぼみ領域よって、安定性を与える。
【００３６】
さらに別の配置構成では、入力デバイスは水平位置で充電され、充電ドックの上面から突出しており、入力デバイスの底面上に形成された凹所に対応するように構成された面によって所定の位置に保持されても良い。例えば、充電ドック上に隆起した領域が形成されても良い。入力デバイスは、隆起した領域と同じ形状の対応する凹所を含んでも良い。充電を開始するために、デバイスは、隆起した位置と位置合わせされた凹所を備えたドック上に配置される。電気接続部は隆起部分または凹所に含まれても良いし、または充電は誘導によって行われても良い。隆起部分または凹所に配置された磁石は、この配列との位置合わせを助けることもできる。
【００３７】
構造的な特徴および／または方法論的な行為に特有の言葉で本対象を説明してきた。しかし添付の特許請求の範囲で定義される本対象は、必ずしも上述の特有の特徴または行為に限定されるわけではないことを理解されたい。むしろ上述の特有の特徴および行為は、特許請求の範囲を実装する例示的な形態として述べられている。当業者であれば、本開示を吟味することから、添付の特許請求の範囲および精神に含まれる多数のその他の実施形態および変更した形態を思いつくであろう。
【図面の簡単な説明】
【００３８】
【図１】入力デバイス充電システムを示す図である。
【図２】図１の入力デバイス充電システムの充電ベースの透視図である。
【図３】図１の入力デバイス充電システムの充電ベースの平面図である。
【図４Ａ】位置合わせ機構のかみ合わせ接続の様々な構成を示す図である。
【図４Ｂ】位置合わせ機構のかみ合わせ接続の様々な構成を示す図である。
【図４Ｃ】位置合わせ機構のかみ合わせ接続の様々な構成を示す図である。
【図５】入力デバイスの位置の位置合わせおよび維持を補助するために磁石が使用される、入力デバイス充電システムの１つの例示的な配置を示す図である。
【図６】図１の入力デバイス充電システムの充電ベースの背面図である。
【図７】図１の入力デバイス充電システムの充電ベースの底面図である。
【図８】図１の入力デバイス充電システムの充電器部とともに使用されてよいマウスの底面図である。
【図９】図６のマウスの背面図である。
【図１０】マウスを充電器部に配置する１つの方法を示す図である。
【図１１】入力デバイス充電システムの別の配置を示す図である。
【図１】
2009539344.tif 000003
【図２】
2009539344.tif 000004
【図３】
2009539344.tif 000005
【図４Ａ】
2009539344.tif 000006
【図４Ｂ】
2009539344.tif 000007
【図４Ｃ】
2009539344.tif 000008
【図５】
2009539344.tif 000009
【図６】
2009539344.tif 000010
【図７】
2009539344.tif 000011
【図８】
2009539344.tif 000012
【図９】
2009539344.tif 000013
【図１０】
2009539344.tif 000014
【図１１】
2009539344.tif 000015
【国際調査報告】
2009539344.tif 000016
2009539344.tif 000017